【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
スーパーコンティニュームが発生した光周波数コムから少なくとも１つの光ビート・ノートを生成する装置であって、
パルス・レーザ源と、
スーパーコンティニューム周波数コムを発生させる、前記パルス・レーザ源に結合された高非線形光ファイバの少なくとも１つのセクションとを含み、前記少なくとも１つのセクションが、スペクトル増強光周波数コムを生み出すべく前記発生したスーパーコンティニューム周波数コム内に少なくとも１つのスペクトル増強領域を提供するよう、後処理が施されており、さらに、
第２のレーザ源と、
前記第２のレーザ源からの出力を前記高非線形光ファイバに沿って伝播した前記スペクトル増強光周波数コムとオーバーラップさせて、前記少なくとも１つの光ビート・ノートを発生させる光合成器とを含むことを特徴とする装置。
【請求項２】
前記少なくとも１つのスペクトル増強領域が、取り囲んで隣接するコンティニュームのパワーの少なくとも２倍を示すよう構成されることを特徴とする請求項１に記載の装置。
【請求項３】
前記高非線形光ファイバのセクションが、少なくとも１つの回折格子構造を含むよう後処理されることを特徴とする請求項１に記載の装置。
【請求項４】
前記高非線形光ファイバのセクションは、ブラッグ波長の５よりも少ない回折格子バンドギャップのスペクトルレンジ内の前記発生したスーパーコンティニュームにおいて少なくとも１つのスペクトル増強ピークを発生する、所定のブラッグ波長を示す単一の回折格子構造を含むことを特徴とする請求項３に記載の装置。
【請求項５】
前記単一の回折格子構造は、前記発生したスーパーコンティニューム内で複数の増強ピークを生み出すサンプル回折格子構造を含むことを特徴とする請求項４に記載の装置。
【請求項６】
前記高非線形光ファイバの一部は複数の別個の回折格子構造を含み、前記複数の回折格子構造の各々は前記発生したスーパーコンティニューム内で少なくとも１つのスペクトル増強ピークを発生することを特徴とする請求項３に記載の装置。
【請求項７】
前記複数の個別の回折格子構造が、高非線形光ファイバの単一のセクションに沿って、少なくとも一部分、上書きされることを特徴とする請求項６に記載の装置。
【請求項８】
前記複数の個別の回折格子構造の少なくとも２つの個別の回折格子が、高非線形光ファイバの異なるセクションに形成されることを特徴とする請求項６に記載の装置。
【請求項９】
前記高非線形光ファイバのセクションにＵＶ照射を施して、前記コンティニュームに沿った定められた波長範囲の増強を提供することを特徴とする請求項１に記載の装置。
【請求項１０】
前記第２のレーザ源は外部レーザ源を含み、前記外部レーザ源の出力は前記光合成器への第１の入力として利用され、そして前記高非線形光ファイバの一部からの出力は前記光合成器への第２の入力として利用されることを特徴とする請求項１に記載の装置。
【請求項１１】
前記第２のレーザ源は、所定の波長において光信号を発生するＣＷレーザ源を含むことを特徴とする請求項１０に記載の装置。
【請求項１２】
前記第２のレーザ源は、前記高非線形光ファイバの出力と前記光合成器との間に結合された周波数変換要素を含み、周波数変換されたコンティニューム信号が第１の入力として前記光合成器へ印加され、前記高非線形光ファイバからの出力信号の一部が第２の入力として前記光合成器へ印可され、そして前記コンティニュームを前記コンティニュームの変換されたバージョンとオーバラップさせることにより光ビートノートが生成されることを特徴とする請求項１１に記載の装置。
【請求項１３】
前記周波数変換要素として周波数ダブラーを使用することを特徴とする請求項１１に記載の装置。
【請求項１４】
前記周波数ダブラは周期分極反転ニオブ酸リチウム（ＰＰＬＮ）要素からなることを特徴とする請求項１３に記載の装置。
【請求項１５】
前記周波数変換要素は高非線形ファイバ自身のセクションからなることを特徴とする請求項１２に記載の装置。
【請求項１６】
前記発生された光ビート・ノートの存在を確認する、前記光合成器の出力側に配置された光検波器をさらに含むことを特徴とする請求項１に記載の装置。
【請求項１７】
前記光ビート・ノートの特性を測定し、そして少なくとも最小信号対雑音比および／または希望動作周波数での周波数安定を有するビート・ノートを発生させるべく前記パルス・レーザ源に補正信号を提供する、前記光検波器と前記パルス・レーザ源との間のフィードバック信号パスをさらに含むことを特徴とする請求項１４に記載の装置。
【請求項１８】
通信目的の信号の十分な部分を抽出する、前記高非線形ファイバの一部の出力側にある少なくとも１つの光タップをさらに含むことを特徴とする請求項１に記載の装置。
【請求項１９】
通信目的の信号の十分な部分を抽出する、前記高非線形ファイバの一部の入力側にある少なくとも１つの光タップをさらに含むことを特徴とする請求項１に記載の装置。
【請求項２０】
前記通信目的は、他の非線形要素においてコンティニュームを生成することを含むことを特徴とする請求項１９に記載の装置。
【請求項２１】
前記光合成器は、前記第２のレーザ源からの出力を前記非線形光ファイバに沿って伝搬するスペクトル増強光周波数コムとオーバラップさせる単一モードファイバのセクションを含むことを特徴とする請求項１に記載の装置。
【請求項２２】
スーパーコンティニュームが発生した光周波数コムから少なくとも１つの光ビートノートを生成する構成であって、
パルスレーザ源と、
スーパーコンティニューム周波数コムを生成する、前記パルスレーザへ結合された高非線形光ファイバの少なくとも１つのセクションとを含み、前記少なくとも１つのセクションが、所定のブラッグ波長を示しそしてブラッグ波長の５よりも少ないバンドギャップのスペクトルレンジ内の前記発生したスーパーコンティニュームに少なくとも１つのスペクトル増強ピークを有するスペクトル増強光周波数コムを生成する単一の回折格子構造を形成するよう、後処理されるものであり、前記装置はさらに、
第２のレーザ源と、
前記第２のレーザ源と前記高非線形光ファイバの少なくとも１つのセクションに沿って伝搬する前記スペクトル増強光周波数コムとをオーバラップして、少なくとも１つの光ビートノートを生成する光合波器と、
前記光合波器の出力に配置された光検出器とを含み、前記検出器は前記発生した光ビートノートの存在を認識することを特徴とする装置。
【手続補正２】
【補正対象書類名】図面
【補正対象項目名】全図
【補正方法】変更
【補正の内容】
【図１】
2006313359.tif 000001
【図２】
2006313359.tif 000002
【図３】
2006313359.tif 000003
【図４】
2006313359.tif 000004
【図５】
2006313359.tif 000005
【図６】
2006313359.tif 000006
【図７】
2006313359.tif 000007
【図８】
2006313359.tif 000008
【図９】
2006313359.tif 000009
【図１０】
2006313359.tif 000010
【図１１】
2006313359.tif 000011
【図１２】
2006313359.tif 000012
【図１３】
2006313359.tif 000013
【図１４】
2006313359.tif 000014
【図１５】
2006313359.tif 000015